(57)【要約】      （修正有）【課題】ヘルメット頂部近傍への衝撃緩和手段を提供する。【解決手段】適宜厚のシート状発泡合成樹脂による基部主体を設け、この基部主体は中央基部とこの中央基部に連続して外方に伸延する複数の伸延部５〜７等から形成され、基部主体下面に粘着層を設ける。使用に際しては、剥離紙を基部主体から除去して粘着層を露出させてから、中央基部をヘルメット１０の中央外面最上部に粘着させ、各伸延部を各々ヘルメット上面に粘着させる。この状態にて、通常のヘルメット同様に頭部に着用して使用する。既述の事態のごとく、作業移動中にヘルメット頂部近傍が他物体に衝突してもこの緩衝体が衝突個所となり、緩衝体の押圧圧縮変形にてその衝撃は吸収されて大きく緩和され、人体の安全保護機能が発揮される。【選択図】図５
0003175810.tif 000002
【実用新案登録請求の範囲】
【請求項１】
適宜厚のシート状発泡合成樹脂による基部主体を設け、この基部主体は中央基部とこの中央基部に連続して外方に伸延する複数の伸延部から形成され、基部主体下面に粘着層を設けたことを特徴とするヘルメット用緩衝体。
【請求項２】
中央基部に対して伸延部を四等配としてなる請求項１記載のヘルメット用緩衝体。
【請求項３】
中央基部に対して伸延部を五等配以上の多等配としてなる請求項１記載のヘルメット用緩衝体。
【請求項４】
伸延部を三角形状としてなる請求項１から３のいずれかの項に記載のヘルメット用緩衝体
【請求項５】
中央基部から伸延する個所の一部を前方伸延部とし、この前方伸延部を他の伸延部より長く形成してなる請求項１から４のいずれかの項に記載のヘルメット用緩衝体。
【考案の詳細な説明】
【技術分野】
【０００１】  この考案は、ヘルメット外面頂部に粘着させて用いる緩衝体に関する。
【背景技術】
【０００２】  従来より、ヘルメットは工事現場や工場内等にて多用されているが、このヘルメットに取り付けて用いる頭部および首部保護用の緩衝体は現在のところ見あたらない。
【考案の概要】
【考案が解決しようとする課題】
【０００３】  従来より用いられているヘルメットは、剛性素材により略中空半球状に形成された帽体と、この帽体内部に設けられる内装体およびあご紐により成り立ち、頭部に着用してその安全を確保するものである。すなわち、既存のヘルメットはその使用材料、形状、内装、ライナー等にて頭部に加わる衝撃を緩和することを目的としている。
しかし、狭い現場通路では、その通路の通過時に頭部を既設部材に打ち付けてしまうことが往々にして発生する。これは不注意による面もあるが、普段の生活では使用しないヘルメットはその装着にて５０ミリメートルほど頭頂部が上がるため、そのことを作業中に常時意識していることは困難である。とりわけ、建築現場等の作業員が低い足場の下などをくぐるとき、この足場上部にあるパイプにヘルメット頂部を打ち付けてしまうことが多くある。このとき、その衝撃が頸椎に伝わって鋭い痛みを感じることとなる。
この頸椎は、上部からの衝撃を和らげる構造にはなっていないため、相当な衝撃と痛みを感ずることとなるのであるが、これに対する適切な解決手段が見あたらないのが現状である。
本案は以上に鑑み、ヘルメット頂部に緩衝体を付加することにて、この問題となっている衝撃を大きく緩和することを目的として発案されたものである。
【課題を解決するための手段】
【０００４】  課題を解決する手段として本案は以下の構成とした。
すなわち、適宜厚のシート状発泡合成樹脂による基部主体を設け、この基部主体は中央基部とこの中央基部に連続して外方に伸延する複数の伸延部から形成され、基部主体下面に粘着層を設ける。本案は以上の構成よりなるヘルメット用緩衝体である。
【考案の効果】
【０００５】  本案によれば、ヘルメット外面上部に発泡合成樹脂による基部主体を粘着させ、この基部主体は各伸展部がヘルメット上部から下方に向けて粘着されるので、万一、ヘルメットの頂部近傍が他物体と衝突しても、この基部主体の押圧変形にてその衝撃を緩和して、ヘルメット着用者への衝撃、とくに頸椎へのダメージを大きく緩和することのできる、有用なる物品を得ることができる。また、本品は軽量でかさばらないため、通常のヘルメット同様に使用することができる。
【図面の簡単な説明】
【０００６】
【図１】  本考案の平面図
【図２】  本考案の正面図
【図３】  本考案の要部拡大図（正面視）
【図４】  本考案の使用状態図（平面視）
【図５】  本考案の使用状態図（正面視）
【図６】  本考案の他例説明図
【図７】  本考案の他例説明図
【図８】  本考案の他例説明図
【図９】  本考案の他例説明図
【図１０】  本考案の他例説明図
【考案を実施するための最良の形態】
【０００７】  以下、本考案の実施形態について説明する。
図において、１は基部主体で、平面視略十字形のシート状発泡合成樹脂体である。
２は該基部主体下面全面に形成される粘着層、３は基部主体と同形にてその下面粘着層上に仮粘着される剥離紙である。基部主体の中央部分は中央基部４であり、この中央基部に一体連続して各伸延部が形成されている。５は所定巾にて中央基部より所定長伸延形成される前方伸延部、６は前方伸延部と反対方向に伸延する後方伸延部で、その中央基部からの長さは前方伸延部より短く形成される。７は側方伸延部で、前述の前方伸延部や後方伸延部と直交する方向にて中央基部より互いに反対方向に伸延する部分であって、いずれも後方伸延部より短く形成される。
本案の使用に際しては、図４〜図５にて示すように、剥離紙を基部主体から除去して粘着層を露出させてから、中央基部をヘルメットの中央外面最上部に粘着させ、各伸延部を各々ヘルメット上面に粘着させる。この状態にて、通常のヘルメット同様に頭部に着用して使用する。既述の事態のごとく、作業移動中にヘルメット頂部近傍が他物体に衝突してもこの緩衝体が衝突個所となり、緩衝体の押圧圧縮変形にてその衝撃は吸収されて大きく緩和され、人体の安全保護機能が発揮される。
なお、人体前方方向への移動が大半のため、衝撃頻度の多い前方衝突対策に重点を置いて、前方伸延部を他の伸延部より長く形成した。【０００８】  図６〜図１０は、本案の他例を示すものである。
図６は伸延部を五等配、図７は六等配、図８は八等配としたもので、初例同様の機能を有するものである。図９および図１０は伸延部を三角形状として、各伸延部を同一長としたものであり、デザイン的変化を用いたものであり、既述例と同様の効果がある。
なお、図９および図１０ではすべて同一長の伸延部としたが、特定の伸延部を前方伸延部として、他の伸延部より長く形成してもよい。【０００９】  以上、本案について記したが、本案は既存のヘルメットに付加してヘルメットに他物体が衝突したときの人体への衝撃を緩和するものである。既述のように従来はこのような手段がなく、作業者の注意に頼らねばならなかったが、本案にてより安全に安心しての作業および移動が可能となったのである。
本案品は軽量小型のため、その保管や運搬も容易で、また、粘着しての使用のため、所定数ストックしておき、必要に応じて取り出して利用することができるとともに、本品セットの有無の把握も目視にて簡単に行うことができる。本案品はシンプルな構成のため、比較的安価に制作することができる。
例示では十字形の等幅伸延部としたが、これに限定することなく、非等幅などの近似の伸延部とすることができる。なお既述の例は実施の数例であって、その厚さや形状を適宜に決めて制作してもよい。以上のごとく、本案によってヘルメットに対する衝撃を緩和して、人体に対する安全度を高めることのできる、有用なる物品を提供することができる。
【符号の説明】
【００１０】１    基部主体
２    粘着層
３    剥離紙
４    中央基部
５    前方伸延部
６    後方伸延部
７    側方伸延部
８    三角伸延部
１０  ヘルメット
【図１】
0003175810.tif 000003
【図２】
0003175810.tif 000004
【図３】
0003175810.tif 000005
【図４】
0003175810.tif 000006
【図５】
0003175810.tif 000007
【図６】
0003175810.tif 000008
【図７】
0003175810.tif 000009
【図８】
0003175810.tif 000010
【図９】
0003175810.tif 000011
【図１０】
0003175810.tif 000012